(57)【要約】【課題】  好適なデコード及びもしくはデマルチプレクスを行う。【解決手段】  データをデコードして映像データを発生させる第１のデコーダと、データをデコードして映像データを発生させる第２のデコーダと、を有しており、前記データをデコードして前記映像データを発生させるための所定の演算処理に関して、前記第２のデコーダが単位時間あたりに実行できる前記所定の演算処理の回数は、前記第１のデコーダが単位時間あたりに実行できる前記所定の演算処理の回数よりも少ない。【選択図】  図１
2005184788.tif 000002
【特許請求の範囲】
【請求項１】
信号処理装置であって、
データをデコードして映像データを発生させる第１のデコーダと、
データをデコードして映像データを発生させる第２のデコーダと、を有しており、
前記データをデコードして前記映像データを発生させるための所定の演算処理に関して、前記第２のデコーダが単位時間あたりに実行できる前記所定の演算処理の回数は、前記第１のデコーダが単位時間あたりに実行できる前記所定の演算処理の回数よりも少ないことを特徴とする信号処理装置。
【請求項２】
更に、
順次に入力されるパケットデータから、該パケットデータの識別子に応じて複数の種類のデータをそれぞれ識別して取り出す第１のデマルチプレクサと、
順次に入力されるパケットデータから、該パケットデータの識別子に応じて前記複数の種類よりも少ない種類のデータを識別して取り出す第２のデマルチプレクサと、
を有しており、
前記第１のデコーダは前記第１のデマルチプレクサで取り出されたデータをデコードし、前記第２のデコーダは前記第２のデマルチプレクさで取り出されたデータをデコードする請求項１に記載の信号処理装置。
【請求項３】
前記第１のデコーダ及び／もしくは第２のデコーダに入力するデータを受信するための受信装置を更に有する請求項１もしくは２に記載の信号処理装置。
【請求項４】
前記受信装置は、
前記第１のデコーダでデコードするデータを受信するための受信回路と、
前記第２のデコーダでデコードするデータを受信するための受信回路と、
を有する請求項３に記載の信号処理装置。
【請求項５】
信号処理装置であって、
順次に入力されるパケットデータから、該パケットデータの識別子に応じて複数の種類のデータをそれぞれ識別して取り出す第１のデマルチプレクサと、
順次に入力されるパケットデータから、該パケットデータの識別子に応じて前記複数の種類よりも少ない種類のデータを識別して取り出す第２のデマルチプレクサと、を有することを特徴とする信号処理装置。
【請求項６】
信号処理装置であって、
信号処理回路と、
データをデコードして映像データを発生させる処理を前記信号処理回路で行うためのプログラムを記憶する記憶装置と、
を有しており、
前記プログラムは、
表示デバイスの表示可能領域のうちの第１の表示領域において表示を行うための映像データを発生させる処理と、前記第１の表示領域とは同一ではない第２の表示領域において表示を行うための映像データを発生させる処理と、を実行するように構成されており、かつ、
前記データをデコードして前記映像データを発生させるための所定の演算処理に関して、前記第２の表示領域において表示を行うための映像データを発生させる処理の一部として実行する前記所定の演算処理の単位時間あたりの回数は、前記第１の表示領域において表示を行うための映像データを発生させる処理の一部として実行する前記所定の演算処理の単位時間あたりの回数よりも小さくなるように構成されていることを特徴とする信号処理装置。
【請求項７】
前記第１の表示領域の面積は、前記第２の表示領域の面積よりも大きい請求項６に記載の信号処理装置。
【請求項８】
信号処理装置であって、
信号処理回路と、
入力されるデータを復号して映像データを発生させる処理を前記信号処理回路で行うためのプログラムを記憶する記憶装置と、
を有しており、
前記プログラムは、
表示デバイスの表示可能領域のうちの所定の表示領域において表示を行うための映像データを発生させる処理を実行する第１の状態と、
前記表示可能領域のうちの第１の表示領域において表示を行うための映像データを発生させる処理と、前記第１の表示領域とは同一ではない第２の表示領域において表示を行うための映像データを発生させる処理と、を実行する第２の状態と、を切り替え可能に構成されていることを特徴とする信号処理装置。
【請求項９】
前記プログラムは、
表示デバイスの表示可能領域のうちの所定の表示領域において表示を行うための映像データを発生させる処理を実行する第１のプログラムと、
前記表示可能領域のうちの第１の表示領域において表示を行うための映像データを発生させる処理と、前記第１の表示領域とは同一ではない第２の表示領域において表示を行うための映像データを発生させる処理と、を実行する第２のプログラムと、
を有している請求項８に記載の信号処理装置。
【請求項１０】
信号処理装置であって、
データをデコードして映像データを発生させる信号処理回路と、
該信号処理回路の動作状態を変更するための書き換えデータを記憶する記憶装置と、
を有しており、
前記信号処理回路は、
表示デバイスの表示可能領域のうちの所定の表示領域において表示を行うための映像データを発生させる処理を実行する第１の状態と、
前記表示可能領域のうちの第１の表示領域において表示を行うための映像データを発生させる処理と、前記第１の表示領域とは同一ではない第２の表示領域において表示を行うための映像データを発生させる処理と、を実行する第２の状態と、を前記書き換えデータに基づいて切り替え可能である事を特徴とする信号処理装置。
【請求項１１】
表示を行うための映像データを発生させるプログラムであって、
表示デバイスの表示可能領域のうちの第１の表示領域において表示を行うための映像データを発生させる処理と、前記第１の表示領域とは同一ではない第２の表示領域において表示を行うための映像データを発生させる処理と、を実行するように構成されており、かつ、
入力される前記データをデコードして前記映像データを発生させるための所定の演算処理に関して、前記第２の表示領域において表示を行うための映像データを発生させる処理の一部として実行する前記所定の演算処理の単位時間あたりの回数は、前記第１の表示領域において表示を行うための映像データを発生させる処理の一部として実行する前記所定の演算処理の単位時間あたりの回数よりも小さくなるように構成されていることを特徴とするプログラム。
【請求項１２】
表示装置であって、
請求項１に記載の信号処理装置と、前記映像データに基づく表示を行う表示デバイスとを有する事を特徴とする表示装置。
【請求項１３】
表示装置であって、
請求項５に記載の信号処理装置と、前記映像データに基づく表示を行う表示デバイスとを有する事を特徴とする表示装置。
【請求項１４】
表示装置であって、
請求項６に記載の信号処理装置と、前記映像データに基づく表示を行う表示デバイスとを有する事を特徴とする表示装置。
【請求項１５】
表示装置であって、
請求項８に記載の信号処理装置と、前記映像データに基づく表示を行う表示デバイスとを有する事を特徴とする表示装置。
【請求項１６】
表示装置であって、
請求項１０に記載の信号処理装置と、前記映像データに基づく表示を行う表示デバイスとを有する事を特徴とする表示装置。
【発明の詳細な説明】
【技術分野】
【０００１】
本発明は信号処理装置に関する。
【背景技術】
【０００２】
従来、テレビ放送受信機において、特許文献１に記載の様に、二つのチューナを持ち、二つの番組を同時に表示可能な装置が知られている。また特許文献２には複数の処理モジュールを備えたテレビジョン受信機が開示されている。
【特許文献１】特開平９−９１６６号公報
【特許文献２】特開平８−７９６４１号公報
【発明の開示】
【発明が解決しようとする課題】
【０００３】
本願発明は好適なデコード及びもしくは好適なデマルチプレクスを実現することを課題とする。
【０００４】
具体的な課題の一例としては、複数の表示領域を用いて表示を行う構成を簡易に実現できる構成を実現すること、及びもしくは複数の表示領域を用いた表示を高品位に実現できる構成を実現すること、を挙げることができる。
【課題を解決するための手段】
【０００５】
本願に係わる発明の一つは、
信号処理装置であって、
データをデコードして映像データを発生させる第１のデコーダと、
データをデコードして映像データを発生させる第２のデコーダとを有しており、
前記データをデコードして前記映像データを発生させるための所定の演算処理に関して、前記第２のデコーダが単位時間あたりに実行できる前記所定の演算処理の回数は、前記第１のデコーダが単位時間あたりに実行できる前記所定の演算処理の回数よりも少ない。
【０００６】
例えば第１のデコーダが出力する映像データの解像度よりも、第２のデコーダが出力する映像データの解像度を低くすることによって、デコードに係わる例えば逆ＤＣＴ処理などの所定の演算回数を抑制することができる。１つの画面を構成するための演算回数を減らすことができるので、単位時間（１秒間）で見た場合の演算回数は第２のデコーダでは第１のデコーダよりも少なくてよい。
【０００７】
またこの発明において、更に、順次に入力されるパケットデータから、該パケットデータの識別子に応じて複数の種類（ｔｙｐｅ）のデータをそれぞれ識別して取り出す第１のデマルチプレクサと、順次に入力されるパケットデータから、該パケットデータの識別子に応じて前記複数の種類よりも少ない種類のデータを識別して取り出す第２のでマルチプレクサと、を有しており、前記第１のデコーダは前記第１のデマルチプレクサで取り出されたデータをデコードし、前記第２のデコーダは前記第２のデマルチプレクさで取り出されたデータをデコードする構成を好適に採用できる。
【０００８】
第２のデマルチプレクサで取り出されなかった種類のデータは破棄すればよい。
【０００９】
また上記発明において、前記第１のデコーダ及び／もしくは第２のデコーダに入力するデータを受信するための受信装置を更に有する構成を好適に採用できる。特に、この受信装置が、前記第１のデコーダでデコードするデータを受信するための受信回路と、前記第２のデコーダでデコードするデータを受信するための受信回路と、を有する構成を好適に採用できる。
【００１０】
受信装置で受信した信号を一時記憶装置に記憶してからデコーダに入力してもよい。以下で説明する実施形態のように、デマルチプレクサを用いる場合には、受信装置で受信した信号を一時記憶装置に記憶してから，デマルチプレクサを介してデコーダに入力してもよい。この記憶装置としては、デコーダ及びもしくはデマルチプレクスなどの信号処理のために必要な期間、必要なデータを記憶できればよいので、例えば１乃至複数フレーム分の記憶容量があれば足りる。またある番組を記憶装置に記憶しておき、この記憶装置からのデータを第１のデコーダ（及び／もしくは第１のデマルチプレクサ）もしくは第２のデコーダ（及び／もしくは第２のデマルチプレクサ）への入力として用いることもできる。この場合は記憶装置の容量は番組を記憶できる程度に必要であり、好適には１ギガバイト以上の容量があることが望ましい。またＤＶＤなどの記録メディアから読み出したデータを第１のデコーダ（及び／もしくは第１のデマルチプレクサ）もしくは第２のデコーダ（及び／もしくは第２のデマルチプレクサ）への入力として用いることもできる。
【００１１】
また本願は以下の信号処理装置の発明も含んでいる。
【００１２】
信号処理装置であって、
順次に入力されるパケットデータから、該パケットデータの識別子に応じて複数の種類（ｔｙｐｅ）のデータをそれぞれ識別して取り出す第１のデマルチプレクサと、
順次に入力されるパケットデータから、該パケットデータの識別子に応じて前記複数の種類よりも少ない種類のデータを識別して取り出す第２のデマルチプレクサとを有する。
【００１３】
また本願は以下の信号処理装置の発明も含んでいる。
【００１４】
信号処理装置であって、
信号処理回路と、
データをデコードして映像データを発生させる処理を前記信号処理回路で行うためのプログラムを記憶する記憶装置と、
を有しており、
前記プログラムは、
表示デバイスの表示可能領域のうちの第１の表示領域において表示を行うための映像データを発生させる処理と、前記第１の表示領域とは同一ではない第２の表示領域において表示を行うための映像データを発生させる処理と、を実行するように構成されており、かつ、
前記データをデコードして前記映像データを発生させるための所定の演算処理に関して、前記第２の表示領域において表示を行うための映像データを発生させる処理の一部として実行する前記所定の演算処理の単位時間あたりの回数は、前記第１の表示領域において表示を行うための映像データを発生させる処理の一部として実行する前記所定の演算処理の単位時間あたりの回数よりも小さくなるように構成されている。
【００１５】
この発明において、前記第１の表示領域の面積は、前記第２の表示領域の面積よりも大きい構成を好適に採用できる。
【００１６】
また本願は以下の信号処理装置の発明を含んでいる。
【００１７】
信号処理装置であって、
信号処理回路と、
入力されるデータを復号して映像データを発生させる処理を前記信号処理回路で行うためのプログラムを記憶する記憶装置と、
を有しており、
前記プログラムは、
表示デバイスの表示可能領域のうちの所定の表示領域において表示を行うための映像データを発生させる処理を実行する第１の状態と、
前記表示可能領域のうちの第１の表示領域において表示を行うための映像データを発生させる処理と、前記第１の表示領域とは同一ではない第２の表示領域において表示を行うための映像データを発生させる処理と、を実行する第２の状態と、を切り替え可能に構成されている。
【００１８】
ここで所定の表示領域は表示可能領域と同じであってもよい。また第１の表示領域もしくは第２の表示領域のいずれかは表示可能領域と同じであってもよい。
【００１９】
またこの発明において、入力される前記データをデコードして前記映像データを発生させるための所定の演算処理に関して、前記第１の表示領域において表示を行うための映像データを発生させる処理の一部として実行する前記所定の演算処理の単位時間あたりの回数、及び、前記第２の表示領域において表示を行うための映像データを発生させる処理の一部として実行する前記所定の演算処理の単位時間あたりの回数は、いずれも、前記所定の表示領域において表示を行うための映像データを発生させる処理の一部として実行する前記所定の演算処理ステップの単位時間あたりの数よりも小さい構成を好適に採用できる。特に、前記プログラムが、表示デバイスの表示可能領域のうちの所定の表示領域において表示を行うための映像データを発生させる処理を実行する第１のプログラムと、前記表示可能領域のうちの第１の表示領域において表示を行うための映像データを発生させる処理と、前記第１の表示領域とは同一ではない第２の表示領域において表示を行うための映像データを発生させる処理と、を実行する第２のプログラムと、を有する構成を好適に採用できる。第１のプログラムを実行する状態と、第２のプログラムを実行する状態とを切り替えることで第１の状態と第２の状態とを切り替えることができる。
【００２０】
また本願は以下の信号処理装置の発明を含んでいる。
【００２１】
信号処理装置であって、
データをデコードして映像データを発生させる信号処理回路と、
該信号処理回路の動作状態を変更するための書き換えデータを記憶する記憶装置と、
を有しており、
前記信号処理回路は、
表示デバイスの表示可能領域のうちの所定の表示領域において表示を行うための映像データを発生させる処理を実行する第１の状態と、
前記表示可能領域のうちの第１の表示領域において表示を行うための映像データを発生させる処理と、前記第１の表示領域とは同一ではない第２の表示領域において表示を行うための映像データを発生させる処理と、を実行する第２の状態と、を前記書き換えデータに基づいて切り替え可能である。
【００２２】
また本願は以下のプログラムの発明を含んでいる。
【００２３】
表示を行うための映像データを発生させるプログラムであって、
表示デバイスの表示可能領域のうちの第１の表示領域において表示を行うための映像データを発生させる処理と、前記第１の表示領域とは同一ではない第２の表示領域において表示を行うための映像データを発生させる処理と、を実行するように構成されており、かつ、
入力される前記データをデコードして前記映像データを発生させるための所定の演算処理に関して、前記第２の表示領域において表示を行うための映像データを発生させる処理の一部として実行する前記所定の演算処理の単位時間あたりの回数は、前記第１の表示領域において表示を行うための映像データを発生させる処理の一部として実行する前記所定の演算処理の単位時間あたりの回数よりも小さくなるように構成されている。
【００２４】
また本願は上に述べた信号処理装置と、前記映像データに基づく表示を行う表示デバイスとを有する表示装置の発明を含んでいる。表示デバイスとしては電界放出素子を表示素子として用いた電界放出ディスプレイや、プラズマセルを表示素子として用いるプラズマディスプレイや、液晶セルを表示素子として用いる液晶ディスプレイや、エレクトロルミネッセンス素子を表示素子として用いるエレクトロルミネッセンスディスプレイや、ＣＲＴなどを用いることができる。
【００２５】
また具体的には、
伝送信号を受信し選局、復調するための複数の放送受信手段と、
前記放送受信手段によって選局、復調された放送データをそれぞれ所定の領域に記憶する記憶手段と、
前記記憶手段に記憶された映像、音声、データ放送、及び制御用データ全てを分別する完全分別手段と、前記記憶手段に記憶された映像、音声、データ放送、及び制御用データのうちの一部を分別する簡易分別手段とを含み、前記分別したデータを前記記憶手段に再び書き込む分別部と、
高解像度映像データを高解像度で処理できる高解像度映像復号手段と高解像度映像データを低い解像度で復号する低解像度映像復号手段とを含み、前記分別手段により分別された映像データを復号する映像復号部とを備える信号処理装置の構成を開示している。
【００２６】
また前記分別部は、１つの分別手段のみで前記記憶手段に記憶されている複数の放送番組のデータを順番に分別することを特徴とする構成を開示している。
【００２７】
また前記低解像度映像復号手段は、参照元となる最初の画像のみは高解像度で復号し、その他の画像は低解像度で復号することを特徴とする構成を開示している。
【００２８】
また、
伝送信号を受信し選局、復調するための複数の放送受信手段と、
前記放送受信手段によって選局、復調された放送データをそれぞれ所定の領域に記憶する記憶手段と、
前記記憶手段に記憶された放送データを映像、音声、データ放送、その他制御用データを分別し再度記憶手段に記憶する分別手段と、
前記分別手段により分別された映像データを復号するための映像復号手段と、
表示画面の構成に応じて前記分別手段の分別するデータの種類を変更すると共に、前記映像復号手段の処理できる解像度を変更する制御手段とを備える信号処理装置の構成を開示している。
【００２９】
ここで前記映像復号手段は、参照元となる最初の画像のみは必ず高解像度で復号することを特徴とする構成も開示している。
【発明の効果】
【００３０】
本発明によると好適なデコード及びもしくは好適なデマルチプレクスを行うことが可能となる。
【発明を実施するための最良の形態】
【００３１】
図１はデジタル放送受信におけるシステム構成例である。このシステムは、デジタル放送を受信し複数の番組の受信結果を出力するＩＲＤ（Ｉｎｔｅｇｒａｔｅｄ  Ｒｅｃｅｉｖｅｒ／Ｄｅｃｏｄｅｒ）１、ＩＲＤ１の映像、音声を視聴するためのモニタ２、ＩＲＤ１とモニタ２間の映像及び音声信号を伝送するためのケーブル３、ＩＲＤ１に命令を送るためのリモートコントローラ（以後リモコン）４、衛星や地上波等のデジタルテレビ放送信号を受信するためのアンテナ５を有している。
【００３２】
図２にデジタル放送を受信するためのＩＲＤ１の構成例を示す。
【００３３】
ＩＲＤ１は、放送受信部ａ２０１ａ、放送受信部２０１ｂ、ＤＴＶモジュール２０２、簡易ＤＴＶモジュール３０１、記憶部２０３、ＣＰＵ２０４、ＣＡＭ２０５、表示データ生成部２０６、Ｄ／Ａ変換部２０７、操作部２０８、ＴＳ蓄積部２０９、番組情報記憶部２０１、およびこれらの間での信号の伝送を行うためのバスとを有する。
【００３４】
放送受信部２０１ａは、アンテナ５から入力されるデジタル放送信号を選局するチューナー２００１ａを有しており、ＴＳデータを出力する。放送受信部２０１ｂは、アンテナ５から入力されるデジタル放送信号を選局するチューナー２００１ｂを有しており、ＴＳデータを出力する。ＤＴＶモジュール２０２には、放送受信部２０１ａから出力されるＴＳデータが、記憶手段２０３を経由して入力される。ＤＴＶモジュール２０２は、入力されたＴＳデータをデマルチプレクスし、取り出した制御データを出力する。デマルチプレクスによって取り出された映像データ及びオーディオデータはデコードしてから出力する。
【００３５】
ＤＴＶモジュール２０２の構成を図２右下に示している。ＤＴＶモジュール２０２はＴＳデータを構成するパケットデータをパケット識別子（ＰＩＤ）に基づいてデマルチプレクスすることで識別子に応じたデータをそれぞれ取り出すデマルチプレクサ２１１と、デマルチプレクサ２１１で取り出された映像データをデコードしてデコードされた映像データを出力するＭＰＥＧ２ビデオデコーダ２１２と、デマルチプレクサ２１１で取り出された音声データをデコードしてデコードされた音声データを出力するＭＰＥＧ２オーディオデコーダ２１３と、を有している。なお、デマルチプレクサ２１１は入力されるパケットデータの識別子に応じて、映像データ、音声データ、データ放送、番組情報等のデータを分別し、それぞれを出力する。
【００３６】
簡易ＤＴＶモジュール３０１には、放送受信部２０１ｂから出力されるＴＳデータが、記憶手段２０３を経由して入力される。簡易ＤＴＶモジュール３０１は入力されたＴＳデータをデマルチプレクスするとともに、デマルチプレクスによって取り出された映像データ及びオーディオデータをデコードする。ＤＴＶモジュール３０１は、デコードした音声データ、及びダウンサンプリングしてデコードした映像データ、及びその他のデータのうちの前記映像データ及び音声データの再生に必要なデータを出力する。
【００３７】
簡易ＤＴＶモジュール３０１はＤＴＶモジュール２０２より機能を簡略化したものであり、簡易デマルチプレクサ３０２と、ＭＰＥＧ２ビデオダウンデコーダ３０３と、ＭＰＥＧ２オーディオデコーダ３０４とを有している。ＤＴＶモジュール３０１の構成を図２左下に示している。
【００３８】
簡易デマルチプレクサ３０２はデマルチプレクサ２１１より機能を簡略化したもので、記憶部２０３に記憶されているＴＳデータを、全てのＰＩＤのうち重複する番組情報を含むＰＩＤを除いてＰＩＤフィルタリングし、各種データに分別する。ＭＰＥＧ２ビデオダウンデコーダ３０３は、ＭＰＥＧ２ビデオデコーダ２１２より出力する映像データの解像度が低い。ＭＰＥＧ２ビデオダウンデコーダ３０３は簡易デマルチプレクサ３０２によって分別されることで取り出されたＭＰＥＧ２映像データをデコードする。特に、入力されるＭＰＥＧ２映像データが高解像度放送されたＭＰＥＧ２映像データである場合はＤＣＴ係数の高周波成分を除くサンプリング（いわゆるダウンサンプリング）を行い、標準解像度放送程度に復号し、標準解像度放送されたＭＰＥＧ２映像データである場合は通常通りに復号する。ＭＰＥＧ２ビデオダウンデコーダ３０３は、所定の演算処理に関して、高解像度映像データを連続して出力できる能力が必要とされるＭＰＥＧ２ビデオデコーダ２１２と比較したときに、単位時間あたりに実行できる該所定の演算処理の回数は少ない。具体的にはダウンサンプリングを行うことによって一枚の画像を表示するために必要な逆ＤＣＴ処理演算などの所定の演算回数が少なくてすむので、ＭＰＥＧ２ビデオダウンデコーダ３０３の処理能力はＭＰＥＧ２ビデオデコーダ２１２の処理能力よりも低くてよく、具体的にはより小さいチップサイズのものを用いている。ソフトウェアでデコード処理を行う場合には、ＭＰＥＧ２ビデオダウンデコーダ３０３を構成するプロセッサとＭＰＥＧ２ビデオデコーダ２１２を構成するプロセッサとして同じ構成のプロセッサをそれぞれ用いることもできるが、その場合には、ＭＰＥＧ２ビデオダウンデコーダ３０３を構成するプロセッサの能力を他の目的で用いてデコード以外の他の処理のための演算を行うことができる。ＭＰＥＧ２オーディオデコーダ３０４は、簡易デマルチプレクサ３０２によって分別されることで取り出されたＭＰＥＧ２音声データを復号する。
【００３９】
記憶部２０３は、放送受信部２０１ａから出力されるＴＳデータをＤＴＶモジュール２０２に出力するまで一時的に記憶し、かつ、放送受信部２０１ｂから出力されるＴＳデータをＤＴＶモジュール３０１に出力するまで一時的に記憶する。また記憶部２０３はＤＴＶモジュール２０２及びＤＴＶモジュール３０１から出力される映像データ、音声データ、ＰＩＤフィルタリングされたデータ放送、番組情報等のデータを記憶しておく。
【００４０】
ＣＰＵ（中央処理装置）２０４は、各部の制御を行う。具体的には、記憶部２０３に記憶されている番組情報データである各種テーブルデータ（ＰＡＴ、ＮＩＴ、ＰＭＴ、ＢＡＴ、ＳＤＴ、ＥＩＴ、ＴＯＴ、ＣＡＴ）、及びデータ放送データを解読し、表示する情報は表示データ生成部２０６に出力し、番組情報として記憶しておくものは記憶部２０３に記憶しておく、といった制御を行う。
【００４１】
コンディショナル・アクセス・モジュール（ＣＡＭ）２０５はその内部にＣＰＵ、ＲＯＭ、ＲＡＭ等から構成されるＩＣカードの読取装置を含む。ＣＡＭ２０５はＩＣカードに含まれている暗号解読キーと解読プログラムを用いてデマルチプレクサ２１１及びデマルチプレクサ３０２に暗号化ＴＳを分別させる。表示データ生成部２０６は記憶部２０３に記憶されている復号された映像データとＣＰＵ２０４により作られた表示データを元に描画した画像を合成しＮＴＳＣ等の表示器に合った信号フォーマットに変換する。Ｄ／Ａ変換部２０７は記憶部２０３に記憶されている復号された音声データをステレオ音声等の音声信号として外部に出力するためのデジタルアナログ変換を行う。操作部２０８は、例えばチャンネル選択のためにリモコン等を操作することで発生する操作信号を受理する。図２ではリモコン４と操作部２０８との間の接続は有線で示しているが、これは赤外線通信などの無線通信でも良い。ＴＳ蓄積部２０９は放送受信手段２０１から出力されるＴＳデータを蓄積し、蓄積したＴＳデータを出力する。番組情報記憶部２１０はＣＰＵ２０４により処理されて記憶部２０３に記憶されている各種テーブルデータを番組選択のための番組情報として記憶しておく。番組情報記憶部２１０はＩＲＤ１の電源を切っても内容を失わない記憶デバイスを有しており、前記番組情報はＩＲＤ１の電源を切っても保持される。
【００４２】
衛星やＣＡＴＶや地上波等のデジタル放送を見る、もしくは聞くためには、使用者はリモコン４等の操作デバイスを操作する。操作デバイスを操作することで発生したチャンネルを指示するための信号は、操作部２０８で受理され、ＣＰＵ２０４に伝送される。指示したチャンネル（サービスＩＤ）を選択するために、ＣＰＵ２０４が周波数、ＴＳＩＤ等を放送受信部２０１に設定する。この設定により、アンテナ５から入力される信号のうちの、所定の周波数、及び／もしくはＴＳＩＤの信号が選択されＴＳデータに変換される。ＴＳデータはデマルチプレクサ２１１によって映像データ、音声データ、その他データに分別される。映像データはＭＰＥＧ２ビデオデコーダ２１２によってデコードされてデコードされた映像データとして出力される。音声データはＭＰＥＧ２オーディオデコーダ２１３によってデコードされてデコードされた音声データとして出力される。その他のデータは記憶部２０３を経てＣＰＵ２０４に受け渡される。本願においてデコードとは、暗号処理や、圧縮処理など何らかの変換処理を受けた信号を変換して所望の信号を得ることをいう。復号もデコードと同義である。（訳注；英文明細書では復号はデコードと訳されるので、ここの「復号もデコードと同義である」という文章を翻訳する必要はありません。）暗号化されたＴＳデータの場合、デコードのためには、暗号解読キーと解読プログラムが必要となる。本実施形態では暗号解読キーと解読プログラムはＣＡＭ２０５で処理される。ＭＰＥＧ２ビデオデコーダ２１２はＭＰＥＧ方式で圧縮されているビデオ信号をデコードして、記憶部２０３に出力する。デコードされた映像データは記憶部２０３から表示データ生成部２０６に送られ、表示データ生成部２０６で表示用の信号に変換される。この表示用の信号によってケーブルにより接続されたモニタ２において映像の表示が行われる。ＭＰＥＧ２オーディオデコーダ２１３はＭＰＥＧ方式で圧縮されているオーディオ信号をデコードして、Ｄ／Ａ変換部２０７に出力する。デコードされた音声データは、Ｄ／Ａ変換部２０７でＤ／Ａ変換され左チャンネルと右チャンネルの信号として出力される。この音声信号はケーブルにより接続されたスピーカを用いて再生される。この時、放送受信部２０１ａと、デマルチプレクサ２１１、ＭＰＥＧ２ビデオデコーダ２１２、及びＭＰＥＧ２オーディオデコーダ２１３を含むＤＴＶモジュール２０２からなる第１の組と、放送受信部２０１ｂと、デマルチプレクサ３０２、ＭＰＥＧ２ビデオダウンデコーダ３０３、及びＭＰＥＧ２オーディオデコーダ３０４を含むＤＴＶモジュール３０１からなる第２の組とはそれぞれ独立して動作する。モニタには第１の組を利用して表示される映像と、第２の組を利用して表示される映像とを同時に表示することができる。使用者がリモコン４を操作することで発生した制御信号に基づいてＣＰＵ２０４が２画面出力等の映像の出力方法、及び音声の出力方法を制御するための信号を発生する。ＣＰＵ２０４からの制御信号によって表示データ生成部２０６、Ｄ／Ａ変換部２０７が制御されることで複数番組の同時視聴を行うことができる。
【００４３】
また、受信放送を保存し、保存した放送を所望の時間に再生して視聴するタイムシフト視聴を行う場合には、放送受信部２０１から出力されるＴＳデータをＴＳ蓄積部２０９に蓄積する。その際、ＣＰＵ２０４は放送受信部２０１のａ、２０１ｂのどちらかからのＴＳデータをＴＳ蓄積部２０９に蓄積するよう指示する。保存されたＴＳデータを再生する際は、ＴＳ蓄積部２０９からＤＴＶモジュール２０２ａ、或は簡易ＤＴＶモジュール２０２ｂのどちらかにＴＳデータを出力するようにＣＰＵ２０４から指示する。またＣＰＵ２０４はＤＴＶモジュール２０２がＴＳデータを同時２つ入力されないように指示する。これによりＴＳ蓄積部２０９を用いた放送のタイムシフト再生もライブ再生とともに同時視聴することができる。
【００４４】
図３は記憶部２０３におけるワークエリアの割り当ての例を示す図である。
【００４５】
ＴＳデータ１ワークエリア４０１は放送受信部２０１ａまたはｂから出力されるＴＳデータを一時的に記憶しておくためのワークエリアである。ＴＳデータ２ワークエリア４０２は前記ＴＳデータ１ワークエリア４０１を使っていない放送受信部２０１ａまたはｂから出力されるＴＳデータを一時的に記憶しておくためのワークエリアである。全テーブルデータワークエリア４０３はデマルチプレクサ２１１によって分別された番組情報データを記憶しておくワークエリアである。簡易テーブルデータワークエリア４０４は簡易デマルチプレクサ３０２によって分別されたＰＡＴ、ＣＡＴ、ＰＭＴ等のＴＳ固有の番組情報データを記憶しておくためのワークエリアである。復号前映像データ１ワークエリア４０５はデマルチプレクサ２１１または簡易デマルチプレクサ３０２によって分別された後の映像データであって，かつ復号される前の映像データを記憶しておくワークエリアである。復号前映像データ２ワークエリア４０６はデマルチプレクサ２１１と簡易デマルチプレクサ３０２のうちの復号前映像データ１ワークエリア４０５を使っていないほうのデマルチプレクサによって分別された映像データであって、かつ復号される前の映像データを記憶しておくワークエリアである。復号前音声データ１ワークエリア４０７はデマルチプレクサ２１１または簡易デマルチプレクサ３０２によって分別された後の音声データであり、かつ復号される前の音声データを記憶しておくワークエリアである。復号前音声データ２ワークエリア４０８はデマルチプレクサ２１１及び簡易デマルチプレクサ３０２のうちの復号前音声データ１ワークエリア４０７を使っていないほうのデマルチプレクサによって分別された音声データであって，かつ復号される前の音声データを記憶しておくワークエリアである。データ放送データワークエリア４０９はデマルチプレクサ２１１によって分別されたデータ放送データを記憶しておくワークエリアである。映像フレームデータ１ワークエリア４１０はＭＰＥＧ２ビデオデコーダ２１２によって復号された高解像度映像データを記憶しておくワークエリアである。映像フレームデータ２ワークエリア４１１はＭＰＥＧ２ビデオダウンデコーダ３０３によって高解像度放送をダウンサンプリングして復号した標準解像度映像データ、またはＭＰＥＧ２ビデオダウンデコーダ３０３によって標準解像度放送を復号した標準解像度映像データを記憶しておくワークエリアである。音声フレームデータ１ワークエリア４１２はＭＰＥＧ２オーディオデコーダ２１３によって復号された音声データを記憶しておくワークエリアである。音声フレームデータ１ワークエリア４１３はＭＰＥＧ２オーディオデコーダ３０４によって復号された音声データを記憶しておくワークエリアである。
【００４６】
放送受信部２０１ａ、２０１ｂから出力されるＴＳデータを別々のＴＳデータ１ワークエリア４０１、またはＴＳデータ２ワークエリア４０２に一時的に記憶する。ＣＰＵ２０４はそれぞれにＴＳデータワークエリアを確保し放送受信部２０１ａ、２０１ｂのどちらがどのエリアを用いるかを決め制御する。更に、ＤＴＶモジュール２０２により復号された映像、音声、ＰＩＤフィルタリングされたデータ放送、番組情報等のデータを記憶、簡易ＤＴＶモジュール３０１により復号された映像、音声、ＰＩＤフィルタリングされた重複しない番組情報等のデータを対応するワークエリアに記憶しておく。
【００４７】
本形態では、機能に差がある２組のデジタル放送再生手段を構成するＤＴＶモジュール２０２と簡易ＤＴＶモジュール３０１を用いて、ＰｉｎＰやＰ＆Ｐ等の２画面同時表示機能を実現している。
【００４８】
まず、ＰｉｎＰについて説明する。
【００４９】
図４はＰｉｎＰの表示例で、２つの入力映像データ共に高解像度映像データとする。
【００５０】
高解像度画像５０１は、高解像度の入力映像データをＤＴＶモジュール２０２のデコーダ２１１を用いて復号して得た高解像度の映像データによって表示した画像である。この映像データは表示デバイスであるモニタの表示可能領域全体を表示領域（第１の表示領域）として表示を行うための映像データとして出力される。低解像度画像５０２は、高解像度の入力映像データを簡易ＤＴＶモジュール３０１のデコーダ３０３を用いて復号して得た低解像度の映像データによって表示した画像である。この映像データは表示可能領域全体よりも面積が小さく，且つ第１の表示領域よりも面積が小さい第２の表示領域において表示を行うための映像データとなる。第２の表示領域上には他の表示領域は重ならないので第２の表示領域と低解像度画像５０２が実際に表示されている領域とは一致する。第１の表示領域上には第２の表示領域が重ねられており、第１の表示領域の一部（他の表示領域が重なっていない部分が実際の画像である高解像度画像５０１が表示される領域になっている。
【００５１】
ＰｉｎＰの場合、ＣＰＵ２０４は全画面表示の放送と縮小画面表示の放送の割振りを、ＤＴＶモジュール２０２と簡易ＤＴＶモジュール３０１が記憶部２０３のどのＴＳデータ用ワークエリアを使うかによって決める。この指示によって、ＤＴＶモジュール２０２は高解像度画像５０１として全画面表示する放送のＴＳデータを分別し、該分別によって取り出された映像データ及び音声データを復号する。簡易ＤＴＶモジュール３０１は低解像度画像５０２として縮小画面表示する放送のＴＳデータを分別し、該分別によって取り出された映像データ及び音声データを復号する。これらの復号結果は記憶部２０３に記憶され、映像データは表示データ生成部２０６で画面割付されて、モニタ２によって表示される。音声データは全画面表示の音声がモニタ２に付設されているスピーカから出力される。縮小画面表示の放送の音声は任意によりＩＲＤ１の外部出力端子から取り出すことができる。また、ＴＳデータ中の映像データ自体は双方とも高解像度映像データであるため、デマルチプレクサにより分別された復号前の映像データは特別な処理はされていない。
【００５２】
高解像度画像５０１と低解像度画像５０２の切り替えは、ＴＳデータ用ワークエリアを切り替えることで行う。使用者の切り替え指示により、ＣＰＵ２０４はＤＴＶモジュール２０２と簡易ＤＴＶモジュール３０１の使うＴＳデータ用ワークエリアを切り替える。しかし、早く画面を切り替えようとすると、切り替える瞬間に表示が乱れてしまう恐れがある。この乱れを防ぐために、あらかじめ復号されていたそれぞれの画像を用いる。低解像度の映像データを復号により得るＭＰＥＧ２ビデオダウンデコーダ３０３においては、復号処理が比較的楽なＩｎｔｒａ−ｃｏｄｅｄ（Ｉ）ピクチャのみ高解像度で復号するようにしておけば、切り替える瞬間の画像として用いることができる。ＭＰＥＧ２ビデオデコーダ２１２によって復号された映像データは、表示データ生成部２０６において、縮小した画像を表示するようにスケーリングされる。
【００５３】
番組情報等のデータは、デマルチプレクサ２１１のものが評価され、簡易デマルチプレクサ３０２は復号に必要なテーブルデータの分別しか行わない。
【００５４】
このように、高解像度画像５０１についてはＭＰＥＧ２ビデオデコーダ２１２を用いて復号することで得た映像データに基づく高解像度映像として表示し、低解像度画像５０２についてはＭＰＥＧ２ビデオダウンデコーダ３０２を用いて復号することで得た映像データに基づく低解像度映像として表示することができる。
【００５５】
次に、Ｐ＆Ｐについて説明する。
【００５６】
図５はＰ＆Ｐの表示例を示す図である。ここでは２つの入力映像データ共に高解像度映像データとする。
【００５７】
高解像度画像６０１は、ＤＴＶモジュール２０２を用いて復号した映像データによって表示された高解像度の画像である。低解像度画像６０２は簡易ＤＴＶモジュール３０１を用いて復号した映像データによって表示された低解像度の画像である。
【００５８】
Ｐ＆Ｐの場合、ＣＰＵ２０４は主（左）画面表示の放送と副（右）画面表示の放送の割振りを制御する。具体的には表示データ生成部２０６を制御することで表示領域の割り振りを行う。更にＣＰＵ２０４は両画面のうち大きい画面表示の放送と小さい画面表示の放送の割振りを、ＤＴＶモジュール２０２と簡易ＤＴＶモジュール３０１が記憶部２０３のどのＴＳデータ用ワークエリアを使うかによって決める。この指示によって、ＤＴＶモジュール２０２は高解像度画像６０１として大きい画面表示する放送のＴＳデータを分別し、分別された映像データ及び音声データを復号する。表示用データは高解像度映像の復号結果をスケーリングして縮小したデータである。簡易ＤＴＶモジュール３０１は低解像度画像６０２として小さい画面表示する放送のＴＳデータを分別し、分別された映像データ及び音声データを復号する。表示用データは低解像度映像の復号結果をそのまま表示するかスケーリングして縮小したデータである。これらの復号結果は記憶部２０３に記憶され、表示データ生成部２０６によるスケーリング、画面割付が行われて、映像がモニタ２に表示される。音声は大きい画面表示の音声または主画面（左）がモニタ２に付設されたスピーカから出力される。小さい画面表示または副画面（右）の放送の音声は任意によりＩＲＤ１の外部出力端子から取り出すことができる。また、ＴＳデータ中の映像データ自体は双方とも高解像度映像データであるため、デマルチプレクサにより分別された復号前の映像データは特別な処理はされていない。
【００５９】
高解像度画像６０１と低解像度画像６０２の切り替えは、ＰｉｎＰ同様ＴＳデータ用ワークエリアを切り替えることで行う。使用者の表示サイズの変更指示により、ＣＰＵ２０４はＤＴＶモジュール２０２と簡易ＤＴＶモジュール３０１の使うＴＳデータ用ワークエリアを切り替える。しかし、早く画面を切り替えようとすると、切り替える瞬間に表示が乱れてしまう恐れがある。この乱れを防ぐために、あらかじめ復号されていたそれぞれの画像を用いる。低解像度の映像を復号するＭＰＥＧ２ビデオダウンデコーダ３０３においては、復号処理が比較的楽なＩｎｔｒａ−ｃｏｄｅｄ（Ｉ）ピクチャのみ高解像度で復号するようにしておけば、切り替える瞬間の画像として用いることができる。ＭＰＥＧ２ビデオデコーダ２１２によって復号された映像データは、表示データ生成部２０６において縮小された画像を形成するようにスケーリング処理される。
【００６０】
番組情報等のデータは、デマルチプレクサ２１１のものが評価され、簡易デマルチプレクサ３０２は復号に必要なテーブルデータの分別しか行わない。
【００６１】
このように、高解像度画像６０１は、ＭＰＥＧ２ビデオデコーダ２１２を用いて復号した高解像度映像データを、縮小した画像を表示するようにスケーリングした映像データを用いて表示された画像である。また低解像度画像６０２はＭＰＥＧ２ビデオダウンデコーダ３０２を用いて復号した低解像度映像データをそのまま用いるか更に縮小した画像を表示するようにスケーリングした映像データを用いて表示された画像である。
【００６２】
このように、高解像度映像データを高解像度のまま扱うＤＴＶモジュール２０２と高解像度映像データを低解像度にする簡易ＤＴＶモジュール３０１を用いることで、高価なＤＴＶモジュールを２個使う場合と変わりない２画面同時表示を行うことができる。
【００６３】
なお第１のデコーダを構成するＭＰＥＧ２ビデオデコーダ２１２はビデオデコーダ専用の信号処理回路として製造された回路によって構成することもできるし、または上述のデコード処理を行うためのプログラムを記憶した記憶回路と、他の用途にも使用でき、かつ前記プログラムを実行できる信号処理回路とを組み合わせた構成とすることもできる。またＭＰＥＧ２ビデオダウンデコーダ３０３も同様である。ＭＰＥＧ２オーディオデコーダ２１３，３０４も同様である。またデマルチプレクサ２１１もデマルチプレクサ専用の信号処理回路として製造された回路によって構成することもできるし、または上述のデマルチプレクス処理を行うためのプログラムを記憶した記憶回路と、他の用途にも使用でき、かつ前記プログラムを実行できる信号処理回路とを組み合わせた構成とすることもできる。デマルチプレクサ３０２も同様である。またデマルチプレクサ２１１、ビデオデコーダ２１２、オーディオデコーダ２１３、デマルチプレクサ３０２、ビデオデコーダ３０３、オーディオデコーダ３０４、はすくなくともそれらのうちの一部を集積した回路として配置することもできる。
【００６４】
次に、第二の実施形態を説明する。この実施形態ではプログラムを実行できる信号処理回路であるプロセッサ７０２によってＲＯＭ７０３に記憶されたプログラムを実行することでデマルチプレクス、ビデオデコード、オーディオデコードを実行する構成を採用している。
【００６５】
図６は本形態におけるＩＲＤ１の構成例で、２０１、２０３〜２１０は実施例１の構成と同じである。
【００６６】
マルチＤＴＶモジュール７０１は視聴方法の設定によりデマルチプレクサ、ＭＰＥＧ２ビデオデコーダ、ＭＰＥＧ２オーディオデコーダの機能の変更が可能なモジュールである。プロセッサ７０２はデマルチプレクサ、ＭＰＥＧ２ビデオデコーダ、ＭＰＥＧ２オーディオデコーダ等の機能をソフトウエアで構成できるＣＰＵ、ＤＳＰ、メディアプロセッサ等のプロセッサである。ＲＯＭ７０３はプロセッサ７０２のソフトウエアが記憶されているフラッシュＲＯＭ等の記憶部である。
【００６７】
記憶部２０３においては、放送受信部２０１、マルチＤＴＶモジュール７０２で構成されるデマルチプレクサ、ＭＰＥＧ２ビデオデコーダ、ＭＰＥＧ２オーディオデコーダが使用するワークエリアが実施例１と同様に割り当てられている。
【００６８】
図７にプロセッサ７０２によって実現されるＭＰＥＧ２ビデオデコーダの処理フローを示す。
【００６９】
デマルチプレクサによって取り出された映像データである可変長ビットデータは可変長復号化処理される（ステップ８０１）。その後、８×８の量子化データを逆量子化しＤＣＴ係数を復元する逆量子化処理を受ける（ステップ８０２）。その後、８×８のＤＣＴ係数を逆離散コサイン変換する逆ＤＣＴ処理を受ける（ステップ８０３）。その後動き補償ステップ８０４を行う。動き補償ステップ８０４ではフレーム間差分データを必要とするデータであれば予測フレームメモリ８０５から読み出した参照用データと入力データを加算し、予測フレームメモリ８０５に再度書き込み復号画像を出力する。また、フレーム内符号化されたデータであれば、入力データを予測フレームメモリ８０５に書き込み復号画像を出力する（ステップ８０４）。なお予測フレームメモリ８０５は動き補償ステップ８０４で予測フレームを記憶しておくメモリである。
【００７０】
本形態のプロセッサ７０２における処理量の例として、高解像度放送として１０８０ｉ（１０８０画素×１９２０画素、３０フレーム／秒）、標準解像度放送として４８０ｐ（４８０画素×７２０画素、６０フレーム／秒）を想定した。復号の処理量は処理単位であるマクロブロック数に比例するため、標準解像度放送の処理量は高解像度放送の１／３倍となる。
【００７１】
また、高解像度放送を標準解像度程度で復号する際、ダウンサンプリング等の手法を用いる。ＭＰＥＧ２ビデオデコーダのダウンサンプリングはいくつかの方法が知られているが、本実施では単純に８×８（６４）のＤＣＴ係数のうち４×４（１６）の低周波領域の処理を行い処理量を減らす方法とする。可変長復号化８０１で８×８のデータを４×４に切り捨て残りの部分にゼロを詰め込み、有効データ量を１／４とすることで、それ以降の処理を簡素化することが可能となり、可変長符号化処理以降の各処理それぞれにおける演算回数を減らすことができる。処理量は標準解像度放送と同等かそれ以下となる。
【００７２】
ＲＯＭ７０３に収容されているプログラムは、本実施形態では、モニタの表示可能領域の全体を使って一つの映像を表示する状態の時に用いる第１のプログラムと、モニタの表示領域に複数の映像を表示する状態のときに用いる第２のプログラムとを有している。第１のプログラムは図７の処理フローを、モニタの表示可能領域全体に対応した高解像度で行うプログラムである。第２のプログラムは、図７の処理フローをモニタの表示可能領域全体と同じかもしくはそれよりも小さい第１の表示領域に対応した解像度で行う処理フローと、図７の処理フローをモニタの表示可能領域よりも小さい第２の表示領域に対応した解像度で行う処理フローとを平行して行うプログラムである。すなわち第２のプログラムは所定の解像度の映像データが出力可能なデコーダと該所定の解像度よりも低い解像度の映像データが出力可能なデコーダとを構成する。
【００７３】
１画面表示時には、プロセッサ７０２は第１のプログラムを実行することで図７の処理フローを高解像度で行う。なお本実施形態では１画面表示時にはデマルチプレクス処理は実施例１で述べた完全デマルチプレクサでの処理と同じ処理をプログラムを実行することで行う。その処理フローを図９に示す。まず放送信号受信部ａ２０１ａで受信したパケットデータが記憶部２０３を介してマルチＤＶモジュール７０１に供給される。このパケットデータの識別子を判別する（ステップ９００１）。続いて識別子に基づいて複数の種類のデータをそれぞれ取り出す。具体的には映像データ、音声データ、制御データ、番組情報データをそれぞれ異なる種類のデータとしてそれぞれ出力する。すなわち、識別子が映像データであることを示している場合は映像データとして出力する（ステップ９００２）。識別子が音声データであることを示しているデータは音声データとして出力する（ステップ９００３）。識別子が制御データであることを示しているデータは制御データとして出力する（ステップ９００４）。なおこの実施形態における制御データは映像データや音声データの再生を適正なタイミングで行うためのデータを含んでいる。また識別子が番組情報データであることを示しているデータは番組情報データとして出力する（ステップ９００５）。音声データのデコードもプログラムを実行することで行う。
【００７４】
２画面表示の場合には、プロセッサ７０２は第２のプログラムを実行することで高解像度処理を行う図７の処理フローと、該処理フローよりも低い解像度で行う図７の処理フローとを、放送信号受信部ａ２０１ａ、放送信号受信部ｂ２０１ｂ、それぞれで受信した信号に対して並行して行う。なおここで処理フローを並行して行う、とは、完全に同じ時間に一度に処理を行う構成に限定するものではない。すなわち、それぞれの処理フローで得られた信号に基づく表示を行ったときに、視覚上同時に表示されていると認識できればよい。したがって、複数画面を同時に表示する構成において、各画面を表示する映像データをえるための図７の処理フローは、プロセッサ７０２をタイムシェアして行ってもよく、本願ではこの場合も含めて処理フローを並行して行っていると称する。主画面に対応するパケットデータのデマルチプレクス処理は１画面表示のときと同様に図９の処理フローに沿って行う。他の画面に対応するパケットデータの処理もプログラムを実行することで行うが、こちらは図９の処理フローのうち識別子が番組情報データを示すものである場合の番組情報データの出力は行わない。
【００７５】
すなわち本実施で用いるプロセッサ７０２は、１つの完全なデマルチプレクサと、１つの簡易的なデマルチプレクサと、１つの高解像度ＭＰＥＧ２ビデオデコーダと、１つの標準解像度ＭＰＥＧ２ビデオデコーダと、６ｃｈのＭＰＥＧ２オーディオデコーダ（ＡＡＣ）を構成できる能力を持つことで、２画面表示、標準解像度４画面表示を行えるＩＲＤ１を構成できる。
【００７６】
上記の構成における２画面表示の例を元に説明をする。
【００７７】
第１のプログラムを実行することで１画面表示をしている状態から、使用者の指示により２画面表示等の画面構成の変更が行われた場合、ＣＰＵ２０４はプロセッサ７０２の機能を変更するためにＲＯＭ７０３から対応するソフトウエア（第２のプログラム）を読み出し、第２のプログラムをプロセッサ７０２で実行できるようにする。ＲＯＭ７０３はあらかじめ２画面表示用のソフトウエアが書き込まれている構成が好ましい。ただし、本実施形態の複数画面表示の機能を後から追加することもできる。この場合、マルチＤＴＶモジュール７０１に新たな機能を持たせるために、ＣＰＵ２０４はＲＯＭ７０３の書き換えを行う。書き換えは、記憶媒体であるＣＤ−ＲＯＭや記憶媒体であるネットワークから一度記憶部２０３にソフトウエアを記憶し、その後記憶部２０３に記憶していたソフトウエアをＲＯＭ７０３に書き込むことで行う。
【００７８】
図５で図示したＰｉｎＰの場合、プロセッサ７０２は、プログラムを実行することで、２つのＴＳに対して分別を行えるデマルチプレクサ、全画面表示用の高解像度画像５０１の復号を行う高解像度ＭＰＥＧ２ビデオデコーダ、縮小画面表示用の低解像度画像５０２の復号を行う低解像度ＭＰＥＧ２ビデオデコーダ、及び音声の復号を行うためのＭＰＥＧ２オーディオデコーダとして動作する。縮小画面表示用の低解像度ＭＰＥＧ２ビデオデコーダは標準解像度程度の映像が得られるもので、高解像度放送をダウンサンプリングして復号する。また、標準解像度放送の場合は標準解像度ＭＰＥＧ２ビデオデコーダとして動き、標準解像度の映像が得られる。
【００７９】
図６で図示したＰ＆Ｐの場合、プロセッサ７０２は、プログラムを実行することで、２つのＴＳに対して分別を行えるデマルチプレクサ、大きい画面表示用のビデオの復号を行う高解像度ＭＰＥＧ２ビデオデコーダと小さい画面表示用の低解像度ＭＰＥＧ２ビデオデコーダ、音声の復号を行うためのＭＰＥＧ２オーディオデコーダとして動作する。小さい画面表示用の低解像度ＭＰＥＧ２ビデオデコーダは標準解像度程度の映像が得られるもので、高解像度放送をダウンサンプリングして復号する。
【００８０】
なお複数画面表示の形態としては２画面表示に限るものではない。プロセッサ７０２で４画面表示を実行するためのプログラムを実行すること出標準解像度の４画面を表示可能領域に表示にした例を図８に示す。
【００８１】
９０１、９０２、９０３、９０４は、それぞれマルチＤＴＶモジュール７０１を用いて復号した標準解像度画像である。
【００８２】
プロセッサ７０２は、プログラムを実行することで、２つのＴＳに対して分別を行えるデマルチプレクサ、標準解像度放送の映像の復号を行う４つの標準解像度ＭＰＥＧ２ビデオデコーダ、音声の復号を行うためのＭＰＥＧ２オーディオデコーダとして動作する。例えばデジタル放送では同一ＴＳにおいて１つの高解像度放送または３つの標準解像度放送が送信される。４画面表示を行う際、２つの標準解像度放送のＴＳから合計６つの標準解像度の映像がえられる。このうち選択された４つ映像データを復号する。
【００８３】
また、１つのＴＳで送信される３つの標準解像度放送と、別のＴＳで送信される１つの高解像度放送を同時に４画面表示を行う際、プロセッサ７０２は、プログラムを実行することで、２つのＴＳに対して分別を行えるデマルチプレクサ、標準解像度放送の映像の復号を行う３つの標準解像度ＭＰＥＧ２ビデオデコーダ、高解像度放送の映像を標準解像度程度に復号する１つの低解像度ＭＰＥＧ２ビデオデコーダ、音声の復号を行うためのＭＰＥＧ２オーディオデコーダとして動作する。低解像度ＭＰＥＧ２ビデオデコーダは標準解像度程度の映像が得られるもので、高解像度放送をダウンサンプリングして復号する。低解像度ＭＰＥＧ２ビデオデコーダと標準解像度ＭＰＥＧ２ビデオデコーダはほぼ同等の処理量で実現できる。
【００８４】
このように、複数の処理能力の違うデコーダをプロセッサ７０２に構成することで、高価なＤＴＶモジュールを２個使う構成と変わりない２画面同時表示を行い、更に、標準解像度で４画面同時表示を行うことができるＩＲＤ１を構成することができる。
【００８５】
なお本実施形態では１画面表示状態を実現するための第１のプログラムと複数画面表示状態を実現するための第２のプログラムとを用いる構成としたが、これに限るものではない。具体的には、一つのプログラムとして複数画面表示可能なプログラムを準備しておき、各画面の解像度パラメータを切り替えることによって実現することもできる。この場合１画面表示を実現するためには、一つの画面制御パラメータを除いて他の画面制御パラメータのうちの解像度パラメータを０に設定すればよい。
【００８６】
なお、本実施形態ではプログラムを実行することで１画面表示状態と複数画面表示状態とをそれぞれ実行する形態を採用したが、ＦＰＧＡ（フィールドプログラマブルゲートアレイ）のように動作状態を可変にできる信号処理回路と、その信号処理回路の動作状態を切り替えるためのデータを収容する記憶部と、該データに基づいて信号処理回路の動作状態を設定する設定回路とを用いて本願にかかわる信号処理装置を構成することもできる。この場合１画面表示を行う状態から複数画面表示を行う状態への切り替え、もしくはその逆の切り替え、もしくは所定の複数画面を表示する状態から異なる数の複数画面を表示する状態への切り替えを、前記データに基づいて前記設定回路によって前記信号処理回路の動作条件を書き換えることによって行う。
【図面の簡単な説明】
【００８７】
【図１】本発明の実施例１におけるシステム構成図である。
【図２】実施例１におけるＩＲＤの構成図である。
【図３】記憶手段のワークエリア例である。
【図４】ＰｉｎＰ表示例である。
【図５】Ｐ＆Ｐ表示例である。
【図６】実施例２におけるＩＲＤの構成図である。
【図７】映像復号の簡易的な流れ図である。
【図８】実施例２における４画面表示の表示例である。
【図９】デマルチプレクス処理を示す図である。
【符号の説明】
【００８８】
２０１ａ  放送受信手段ａ
２０１ｂ  放送受信手段ｂ
２１１  デマルチプレクサ
２１２  ＭＰＥＧ２ビデオデコーダ
【図１】
2005184788.tif 000003
【図２】
2005184788.tif 000004
【図３】
2005184788.tif 000005
【図４】
2005184788.tif 000006
【図５】
2005184788.tif 000007
【図６】
2005184788.tif 000008
【図７】
2005184788.tif 000009
【図８】
2005184788.tif 000010
【図９】
2005184788.tif 000011